(57)【要約】【課題】本考案は、ルーペユニットに応用する補助照明構造を提供する。【解決手段】精密ルーペの補助照明は、ルーペユニット、及びルーペユニットの生じる補助照明ライトの照明ユニットを含む。主には、照明ユニットの一端に光透過性を備える結合部を形成し、結合部の外表面は、射出成型時または射出成型後、サンドブラスティング加工によって霧面構造形態を成し、被せて挟み込む方式や嵌合方式によりルーペユニットと結合定位させる。また、照明ユニットの別の一端には照明ライトを生じるライト源部品を設け、且つ、該ライト源部品の生じるライトは、結合部を経て外方向に投射される。これにより照明ユニットはルーペユニット上に結合定位され、柔らかな照明余光を投射し、照明を補助する効果を向上させる。【選択図】  図３
0003146571.tif 000002
【実用新案登録請求の範囲】
【請求項１】
精密ルーペの補助照明において、含まれる照明ユニットは、その一端に光透過性を備える結合部を形成し、結合部によってルーペユニットの透明レンズ筒の外側縁に結合定位し、また、照明ユニットの別の一端には、ライトを生じるライト源部品を設け、しかもライト源部品の生じるライトは結合部を経て外側方向に投射され、これにより照明ユニットはルーペユニット上に結合定位され、ライトの光をルーペユニット内部に入射し、補助照明効果を達成することを特徴とする精密ルーペの補助照明。
【請求項２】
前記の照明ユニットの結合部は、ルーペユニットの透明レンズ筒の外形構造形態に対応する円形または多角形等の幾何学形状を成し、構造設計において、半円形状の開放式構造形態を成して挟み込み方式によりルーペユニットと結合させることを特徴とする請求項１記載の精密ルーペの補助照明。
【請求項３】
前記の照明ユニットの結合部は、ルーペユニットの透明レンズ筒の外形構造形態に対応する円形または多角形等の幾何学形状を成し、構造設計において、円形状の密閉式構造形態を成して被せて挟み込む方式や嵌合方式によりルーペユニットと結合させることを特徴とする請求項１記載の精密ルーペの補助照明。
【請求項４】
前記の照明ユニットは、ユニット本体及び蓋体により組成され、該結合部は、ユニット本体の一端に形成され、ユニット本体の別の一端は、中空内側エッジを備える握り部を形成し、ライト源部品を中空内側エッジに設置した後、更に蓋体により被冠固定することを特徴とする請求項１記載の精密ルーペの補助照明。
【請求項５】
前記のライト源部品は、基板、及び基板上に設けたライトと若干の電池と電源スイッチ等の構成要素により組成され、主に、ライトのヘッド部を結合部に近い適当箇所に向け、これにより照明ライトは確実に結合部を経て外側方向に投射されることを特徴とする請求項１または４記載の精密ルーペの補助照明。
【請求項６】
前記の照明ユニットはユニット本体を含み、結合部をユニット本体の一端に形成し、ユニット本体のもう一端には中空内側エッジを備える握り部を形成し、ライト源部品は外付けの挿入構造によって握り部の中空内側エッジに結合することを特徴とする請求項１記載の精密ルーペの補助照明。
【請求項７】
前記のライト源部品は、ライト源本体、及びライト源本体内に設けるライトと若干の電池と外側に露出する電源スイッチ等の構成要素により組成され、ライト源部品は、分離式の挿入組み合わせ方式によって照明ユニットのもう一端に設置され、しかも、ライトのヘッド部は結合部に近い適当箇所に向けられ、これによりライトの光エネルギーは、確実に結合部を経て外方向に投射されることを特徴とする請求項１または６記載の精密ルーペの補助照明。
【請求項８】
前記の結合部の外表面は、射出成型時または射出成型後、サンドブラスティング加工によって霧面構造形態を成し、これにより照明ユニットの内部から外側方向に投射される光線は柔らかい余光効果を発揮し、使用者の眼を刺激する状況を発生させないことを特徴とする請求項１、２、３、４、６の何れかに記載の精密ルーペの補助照明。
【請求項９】
精密ルーペの補助照明は、照明ユニットを含み、該照明ユニットの一端にはルーペユニットを結合する結合部を形成し、該結合部は光透過性を備え、しかも外表面は射出成型時または射出成型後、サンドブラスティング加工によって霧面構造形態を成し、もう一端にはライトを生じるライト源部品を設け、ライト源部品の生じるライトの光エネルギーは結合部を経て外側方向に投射され、且つ、投射する光線は、柔らかい余光効果を発揮し、使用者の眼を刺激する状況を発生させず、補助照明効果を達成することを特徴とする精密ルーペの補助照明。
【請求項１０】
前記の結合部に結合するルーペは、レンズまたは専用ルーペユニットとすることを特徴とする請求項９記載の精密ルーペの補助照明。
【請求項１１】
前記の照明ユニットは、ユニット本体及び蓋体により構成され、該結合部はユニット本体の一端に形成し、ユニット本体のもう一端には中空内側エッジを備える握り部を形成し、ライト源部品を中空内側エッジに設置した後、更に蓋体によって被冠固定することを特徴とする請求項９記載の精密ルーペの補助照明。
【請求項１２】
前記のライト源部品は、基板、及び基板上に設けるライトと若干の電池と電源スイッチ等の構成要素により構成され、主に、ライトのヘッド部は結合部に近い適当箇所に向けられ、ライトの光エネルギーは確実に結合部を経て外側方向に投射されることを特徴とする請求項９または１１記載の精密ルーペの補助照明。
【考案の詳細な説明】
【技術分野】
【０００１】
本考案は照明器具、特に、ルーペユニットに応用する補助照明の構造を提供する。
【背景技術】
【０００２】
ルーペは、凸レンズを使って物体を拡大して、使用者が更に物体細部を見るのを助けるもので、各種目視や検査に用いる。使用領域の違いに基づきルーペ構造の設計には多種異なるものが見られるが、主に要求される目的はやはり物体拡大機能である。また、図１のようにルーペの使用機能を追加したものもあり、業者はルーペ上に照明ライト（LED灯）を加え、ライト照明を補助し、被拡大物を更にはっきりと検視することが可能となる。しかし、この種のルーペのライトが生じる光は、レンズ範囲を直接照射する故、使用者の眼を刺激し、長時間使用すると眼に不適合状況を発生させ、改善の必要性がある。
【考案の開示】
【考案が解決しようとする課題】
【０００３】
また、各種ルーペの構造が異なる故、全てのルーペの適当位置に直接照明用のライトを付加できるとは限らない。例えば、図２に示したルーペユニットにおいて、この種のルーペは円筒状であり、上端には焦点調節の回転盤を、下半分には透明レンズ筒を備え、しかも、目盛りのある目盛りレンズを組み合わせて使用する。しかし、この種のルーペユニットは、夕方もしくは光線不良の空間における使用が不可能であり、日中または室内灯照明の下で使用しても、１００％被拡大物の極細部のラインを顕示することはできない。その主原因は、専門の補助照明光が欠けているからである。また、この種のルーペユニットを使用する場合、多くの使用者は指を透明レンズ筒に接触させて持ち上げたり固定する動作を行う故、外の照明光線を遮り、しかも指紋や塵埃等が透明レンズ筒上に付着し易い。よって前述ルーペユニットの使用上の欠点を如何に克服するかが業者の改善すべき方向性である。
【０００４】
前述に鑑み、本考案人は、前述の公知技術における問題点を深く研究し、並びに、長年の関連産業における研究開発及び製造経験に基づき積極的に解決の道を探し求め、並びに、長期に渡り研究と努力を積み重ね、ついに本考案『精密ルーペの補助照明構造』の開発に至った。これにより、公知の問題点の改善を行う。
【課題を解決するための手段】
【０００５】
本考案の主な目的は、前述の問題点を解決し、ルーペユニットに備えた補助照明のライトの光が柔らかい余光効果を発揮し、使用者の目視する快適性を向上するルーペユニットの補助照明構造を提供することにある。
【０００６】
前述の効果を達成する為に、本考案の『精密ルーペの補助照明』は、ユニット本体及びライト源部品により照明ユニットを構成し、該照明ユニットはルーペユニット上の外側に引き掛けて結合する。主に、該ユニット本体の一端には光透過性を有する結合部を形成し、別の一端には握り部を突出させ、且つ、該握り部には中空内側エッジを備えて該ライト源部品を納める。前述の結合部の外表面は、射出成型時または射出成型後、サンドブラスティング加工による霧面構造形態を成し、且つ、造形構造はルーペユニットの型式や種類の違いによって変化させるが、大部分は、ルーペユニットの外形構造形態に対応する円形または多角形等の幾何学形状を成す。実施例の設計においては、半円形状の開放式構造形態を成して挟み込み方式によりルーペユニットと結合させるか、円形状の密閉式構造形態を成して被せて挟み込む方式や嵌合方式によりルーペユニットと結合させる。また、前述のライト源部品は、基板、及び該基板上に設けたライトと若干の電池と電源スイッチ等の構成要素により組成される。主には、該ライトのヘッド部を対応する結合部に近い適当箇所に設け、該ライト源部品が生じるライトの光エネルギーは結合部を経て外方向に投射される。これにより照明ユニットがルーペユニットに結合される時、ルーペユニットの視線範囲に入射される光線は柔らかい照明ライトとして投射される故、使用者の眼を刺激する不快感を回避し、補助照明効果を発揮する。同時に、使用者は握り部によってルーペユニットを持ち移動させることができる。
【０００７】
本考案の採用する技術、手段、及びその効果に関し、最良の実施例に図面を組み合わせて下記の通り詳細説明する。これにより、本考案の前述した目的、構造、及び特徴を深く具体的に理解できることであろう。
【考案の効果】
【０００８】
本考案の精密ルーペの補助照明は、ルーペユニットに備えた補助照明のライトの光が柔らかい余光効果を発揮し、使用者の目視する快適性を向上することを特徴とする。
【考案を実施するための最良の形態】
【０００９】
本考案の構造設計及び技術に対し更なる御理解をして頂く為に、次の通り、図面を組み合わせた説明を行う。
【００１０】
図３〜図１２に示す通り、本考案の『精密ルーペの補助照明』は、ルーペユニット１、及びルーペユニット１の応用を助ける照明ユニット２により構成され、該照明ユニット２は、ユニット本体２０、蓋体３０、及びライト源部品４０等の構成要素により組成される。
【００１１】
前記ルーペユニット１、１’は一般にある公知物件であり、単一筒型の高精密ルーペ、または高倍数拡大倍率を有するレンズとする。図３〜図１０において、本考案の前記の単一筒型の高精密ルーペは、外部に焦点調節の回転盤１１及び透明レンズ筒１２を備えるルーペであり、これら構成要素は公知技術である故、説明を省く。また、レンズは、図１１、図１２に示す通りであり、単一筒型高精密ルーペのルーペユニット１の実施例に対する説明を次に行う。
【００１２】
前記ユニット本体２０は、箱型形態を成し、一端には結合部２１を、別の一端には握り部２２を設ける。結合部２１によりルーペユニット１を結合定位し、別の一端の握り部２２にライト源部品を組み合わせる。ユニット本体２０は原則上、透明材質による作製を主とし、少なくとも結合部２１には光透過性を備えさせる。また、本考案が光透過性効果を形成する構造には二つあり、その一つは、結合部２１が完全に透明構造形態を形成し（図３参照）、二つ目は、結合部２１の外表面が射出成型時または射出成型後にサンドブラスティング加工により霧面構造形態を形成している（図４参照）。
【００１３】
また、結合部２１は、ルーペユニット１の透明レンズ筒１２の外形構造形態に対応する円形または多角形等の幾何学形状を成す。また、結合構造の設計は、Ｃ字型半円形状の開放式構造形態とすることも可能であり、挟み込み方式によってルーペユニット１と結合させるか、円形状の密閉式構造形態とし、嵌合方式によってルーペユニット１と結合させる（図８参照）。更に握り部２２は、使用者が手に持って使用する為のもので、内設する中空内側エッジ２２１にはライト源部品４０を納め、並びに、蓋体３０を被冠して固定する。
【００１４】
蓋体３０は、握り部２２外形に対応する蓋板であり、螺合方式によって握り部２２上端に固定し、その後端中段箇所には欠け口３１を形成し、分離式の電池蓋３２を組み合わせる。
【００１５】
ライト源部品４０は、基板４１、及び基板４１上に設けるライト４２、若干の電池４３と電源スイッチ４４等の構成要素により組成される。これらの構成要素の組み合わせは、一般に見られる公知技術である故、ここでは説明を省く。主に、ライト４２のヘッド部を結合部２１に近い適当箇所に向けると、ライトの光エネルギーは、確実に結合部２１を経て外方向に投射され、且つ、投射する光線は、結合部２１の霧面を経た後、柔らかい余光効果を発揮する。
【００１６】
前記の構成要素により組成された本考案の使用において、照明ユニット２は結合部２１によってルーペユニット１の透明レンズ筒１２箇所に結合される。これにより、ライトの光をルーペユニット内部に入射できるだけでなく、照明を補助する効果を達成し、且つ、投射する光線は柔らかい余光効果を成し、使用者の眼を刺激する状況を避け、照明を補助する効果を向上させる。次に、使用者は握り部２２によってルーペユニット１を持ち移動することができ、手が透明レンズ筒１２に接触して汚れ問題を引き起こすことがなくなる。
【００１７】
更に、図１０に、本考案の照明ユニット２における構造設計変化を示す。ユニット本体２０は、結合部２１の別の一端の握り部２２に対応し、その中空内側エッジ２２１は、円孔形状構造形態を成す。また、ライト源部品４０は、握り部２２内に直接設置するのではなく、分離式の挿入組み合わせ方式によって中空内側エッジ２２１箇所に設ける。図に示す通り、ライト源部品４０は、小さな懐中電灯のように独立した構成要素であり、ライト源本体４５、及びライト源本体４５内に設けるライト４２、若干の電池４３と外側に露出した電源スイッチ４４等の構成要素により組成される。ライト源部品４０を照明ユニット２上に組み合わせると、ライト４２のヘッド部は結合部２１に近い方向の適当箇所に設けられ、これによりライトの光エネルギーは結合部２１を経て外方向に投射される構造設計である。よって、ルーペユニット１の使用時に必要とするライト光を補助する外、ライト源部品４０は、必要である時、小さな懐中電灯として使用が可能であり、付加機能を加える。
【００１８】
また、図１１、図１２に、本考案のレンズ型のルーペユニット１’の実施例における構造組成を示す。それは、同様に、照明ユニット２の一端に結合部２１を形成したものであり、結合部２１は、密閉の円形状構造形態を成し、内部にはルーペユニット１’を嵌設固定させる。また、結合部２１は同様に光透過性を有し、且つ、外表面は、射出成型時または射出成型後、サンドブラスティング加工により霧面構造形態を形成する。照明ユニット２の別の一端は同様に、ライト源部品４０に組み合わせ、ライト源部品４０の生じるライトの光が結合部１１を経て外側に投射される時、それが投射する光線は、柔らかい余光効果を発揮する故、使用者の眼が刺激される状況を避け、照明を補助する効果を達成する。
【００１９】
前述をまとめると、本考案は、同類の製品中でも実に進歩的な実用性を備えており、同時に、国内外のこの種の構造に関する技術資料を探してみても、同様の構造を持つものは文献中に見当たらず、よって、本考案は、実用新案の要件に符合する故、ここに法に依拠し出願を行う。
【００２０】
但し、前述の実施例は、本考案を説明する為のものであり、本考案の精神から離れず、関連技術に熟知する者によって為される各種の変形、修飾、応用は全て、本考案の範囲に含まれるものとする。
【図面の簡単な説明】
【００２１】
【図１】公知の照明ライトを備えたルーペの立体図。
【図２】公知のルーペユニットの立体図。
【図３】本考案の立体図（結合部の外表面は透明構造形態を形成）。
【図４】本考案のもう一つの立体図（結合部外表面は霧面構造形態を形成）。
【図５】本考案の立体分解図。
【図６】本考案をルーペユニットに結合した立体図。
【図７】本考案をルーペユニットに結合した上面図。
【図８】本考案の照明ユニットにおいて別の設計形態の結合部に高倍率ルーペを組み合わせた図。
【図９】本考案の照明ユニットにおけるまた別の設計形態の結合部の立体図。
【図１０】本考案の照明ユニットにおける第二実施例の側面図。
【図１１】本考案のルーペユニットにおける第二実施例の立体図。
【図１２】本考案のルーペユニットにおける第二実施例の上面図。
【符号の説明】
【００２２】
１      ルーペユニット
１’    ルーペユニット
１１    回転盤
１２    透明レンズ筒
２      照明ユニット
２０    ユニット本体
２１    結合部
２２    握り部
２２１  中空内側エッジ
３０    蓋体
３１    欠け口
３２    電池蓋
４０    ライト源部品
４１    基板
４２    ライト
４３    電池
４４    電源スイッチ
４５    ライト源本体
【図１】
0003146571.tif 000003
【図２】
0003146571.tif 000004
【図３】
0003146571.tif 000005
【図４】
0003146571.tif 000006
【図５】
0003146571.tif 000007
【図６】
0003146571.tif 000008
【図７】
0003146571.tif 000009
【図８】
0003146571.tif 000010
【図９】
0003146571.tif 000011
【図１０】
0003146571.tif 000012
【図１１】
0003146571.tif 000013
【図１２】
0003146571.tif 000014